(57)【特許請求の範囲】
【請求項１】
水泳選手の体の上で伸ばされて水泳選手の体にフィットさせることができるように構成された水着本体であって、ユーザが水着本体を着用したときに水泳選手の体の一部を覆うように構成された少なくとも1つの孔を有する水着本体と、
内表面を持ち、該内表面の第一の部分は該水着本体の外側面上で該少なくとも1つの孔の周りに固定され、該内表面の第二の部分は水着本体から張り出し、ユーザが水着本体を着用したときにユーザの体に接触するように、かつユーザが泳いでいるときに前縁部をもたらし、ならびにユーザの体にぴったりと弾性的にフィットして該前縁部が水を吸い込む機会を減らすように構成される、弾性シールと
の組合せを含む、水着。
【請求項２】
シールが接着剤によって水着本体に固定される、請求項1記載の水着。
【請求項３】
シールが縫付けによって水着本体に固定される、請求項1記載の水着。
【請求項４】
シールが溶接によって水着本体に固定される、請求項1記載の水着。
【請求項５】
孔がユーザの腰を覆うように構成される、請求項1記載の水着。
【請求項６】
孔がユーザの胴体の上部を覆うように構成される、請求項1記載の水着。
【請求項７】
孔がユーザの腕を覆うように構成される、請求項1記載の水着。
【請求項８】
孔がユーザの首を覆うように構成される、請求項1記載の水着。
【請求項９】
シールがエラストマーで形成される、請求項1記載の水着。
【請求項１０】
シールが、シリコーン、ゴム、ラテックス、およびウレタンのうちの1つで形成される、請求項1記載の水着。
【請求項１１】
水着本体が全身ボディスーツである、請求項1記載の水着。
【請求項１２】
水着本体が、ユーザの腰からユーザのくるぶしの近くの点まで延びるように構成されたタイツである、請求項1記載の水着。
【請求項１３】
水着が一対のショーツである、請求項1記載の水着。
【請求項１４】
水着本体の前部の上縁部の所のシールに連結され、水着本体の背中の上縁部の所のシールに連結され、かつユーザの肩の上を延びるように構成されたハーネス・アセンブリをさらに含む、請求項1記載の水着。
【請求項１５】
ハーネス・アセンブリがシールを含む単体構成である、請求項14記載の水着。
【請求項１６】
ハーネス・アセンブリが、各肩ストラップが第1の端部の所で水着本体の前部の上縁部の所のシールに固定され、第2の端部の所で背中ストラップの第1の端部に固定された一対の肩ストラップと、反対側の第2の端部が水着本体の背中の上縁部の所のシールに固定された背中ストラップとを含む、請求項14記載の水着。
【請求項１７】
ハーネス・アセンブリが、各肩ストラップが第1の端部の所で水着本体の前部の上縁部の所のシールに固定され、第2の端部の所で背中ストラップの第1の端部に固定された一対の肩ストラップと、反対側の第2の端部が各横ストラップの第1の端部に固定された背中ストラップと、反対側の第2の端部が水着本体の背中の反対側の所のシールに固定された一対の横ストラップとを含む、請求項14記載の水着。
【請求項１８】
水着本体の背中の所のシールの上縁部および横ストラップが孔を形成する、請求項17記載の水着。
【請求項１９】
シールの外側部の少なくとも一部がシールの周縁部まで先細りしている、請求項1記載の水着。
【請求項２０】
シールの内面が、水着本体の一部を受けるように構成されたくぼみを含む、請求項1記載の水着。
【請求項２１】
水泳選手の体の上で伸ばされて水泳選手の体にフィットさせることができるように構成された水着本体であって、ユーザが水着本体を着用したときに水泳選手の体の一部を覆うように構成され、かつユーザが泳いでいるときに水着の前縁部となるように構成された少なくとも1つの孔を有する水着本体と、
内表面を持ち、該内表面の第一の部分は該水着本体の外側面上で該少なくとも1つの孔の周りに固定され、該内表面の第二の部分は水着本体から張り出し、ユーザが水着本体を着用したときにユーザの体に接触するように、かつユーザが泳いでいるときに前縁部をもたらし、ならびにユーザの体にぴったりと弾性的にフィットして該前縁部が水を吸い込む機会を減らすように構成される、弾性シールと
の組合せを含む、水着。
【請求項２２】
シールが接着剤によって水着本体に固定される、請求項21記載の水着。
【請求項２３】
シールが縫付けによって水着本体に固定される、請求項21記載の水着。
【請求項２４】
孔がユーザの腰を覆うように構成される、請求項21記載の水着。
【請求項２５】
孔がユーザの胴体の上部を覆うように構成される、請求項21記載の水着。
【請求項２６】
孔がユーザの腕を覆うように構成される、請求項21記載の水着。
【請求項２７】
孔がユーザの首を覆うように構成される、請求項21記載の水着。
【請求項２８】
シールが、シリコーン、ゴム、およびラテックスのうちの1つで形成される、請求項21記載の水着。
【請求項２９】
水着本体が全身ボディスーツである、請求項21記載の水着。
【請求項３０】
水着本体が、ユーザの腰からユーザのくるぶしの近くの点まで延びるように構成されたタイツである、請求項21記載の水着。
【請求項３１】
水着が一対のショーツである、請求項21記載の水着。
【請求項３２】
水着本体の前部の上縁部の所のシールに連結され、水着本体の背中の上縁部の所のシールに連結され、かつユーザの肩の上を延びるように構成されたハーネス・アセンブリをさらに含む、請求項21記載の水着。
【請求項３３】
ハーネス・アセンブリがシールを含む単体構成である、請求項32記載の水着。
【請求項３４】
ハーネス・アセンブリが、各肩ストラップが第1の端部の所で水着本体の前部の上縁部の所のシールに固定され、第2の端部の所で背中ストラップの第1の端部に固定された一対の肩ストラップと、反対側の第2の端部が水着本体の背中の上縁部の所のシールに固定された背中ストラップとを含む、請求項32記載の水着。
【請求項３５】
ハーネス・アセンブリが、各肩ストラップが第1の端部の所で水着本体の前部の上縁部の所のシールに固定され、第2の端部の所で背中ストラップの第1の端部に固定された一対の肩ストラップと、反対側の第2の端部が各横ストラップの第1の端部に固定された背中ストラップと、反対側の第2の端部が水着本体の背中の反対側の所のシールに固定された一対の横ストラップとを含む、請求項32記載の水着。
【請求項３６】
水着本体の背中の所のシールの上縁部および横ストラップが孔を形成する、請求項35記載の水着。
【発明の詳細な説明】
【技術分野】
【０００１】
本発明は、一般に水着に関し、特に、孔と、密着度を改善し水流に対する抵抗を弱める、孔の周りの弾性シールとを有する水着に関する。
【背景技術】
【０００２】
水泳選手の成績は、水着の構成の影響を顕著に受ける可能性がある。水着の多数の向きによって、水泳選手の動きの範囲が悪影響を受け、抗力が増大し、そのため成績が下がる。
【０００３】
既知の水着の前縁部、すなわち、ユーザが水中を泳いでいるときの前方の縁部、たとえば、首開口部、腕穴、およびウエストラインは、水泳選手が水中を進むにつれて広がり、ユーザの体から離れて水を吸い込む。水着に吸い込まれた水の質量が増大すると大きな抗力が生じ、したがって、水泳選手の成績に悪影響を与える可能性がある。さらに、これらの前縁部は、水着を形成するのに用いられる材料を折り畳んで縫い付けることによって形成されることが多く、水着の縁が比較的厚く流体力学的に非効率的なものになり、やはり抗力が増大する。
【０００４】
既知の水着は通常、ユーザの体の上で伸び、ジッパー、スナップ、ホックな  どの密閉装置または固定装置によって固定することができる。そのような固定装置は、水泳選手に対して様々な問題を引き起こす可能性がある。たとえば、ジッパーは伸びず、それによって水着の柔軟性が制限される。水着の柔軟性は、肩ストラップおよび腕穴開口部を含む、既知の水着の他の局面によっても抑制される恐れがある。水泳選手の開始位置と水泳中の水泳選手の腕の動きは、極端なものであり、水着は極めて柔軟である必要がある。したがって、水着の柔軟性を低下させると、水泳選手の動きの範囲が狭まり、水泳選手の成績に悪影響が及ぶ可能性がある。さらに、スナップ、ホック、およびその他の固定装置は流体力学的な抗力を生じさせ、そのため成績が下がる。
【発明の開示】
【発明が解決しようとする課題】
【０００５】
本発明の目的は、先行技術の装置に固有の問題のいくつかまたはすべてを軽減または解消する、孔の周りの弾性シールを有する水着を提供することである。本発明の特定の目的および利点は、当業者、すなわち、当技術分野における知識または経験を有する者には、以下の本発明の開示およびある好ましい態様の詳細な説明を考慮すれば明らかであろう。
【課題を解決するための手段】
【０００６】
有利なことに、本発明の原則を用いて、水泳選手の体の一部が突き出る孔の周りに弾性シールを有する水着を提供することができる。このようなシールは、水着をユーザの体にぴったりとかつ弾性的にフィットさせることができる。
【０００７】
第1の局面によれば、水着は、ユーザが水着を着用したときに水泳選手の体の一部を覆うように構成された少なくとも1つの孔を有する水着本体と、少なくとも1つの孔の周りに固定された弾性シールとを含む。
【０００８】
他の局面によれば、水着は、ユーザが水着を着用したときに水泳選手の体の一部を覆うように構成され、かつユーザが泳いでいるときに水着の前縁部となるように構成された少なくとも1つの孔を有する水着本体を含む。少なくとも1つの孔の周りに弾性シールが固定される。
【０００９】
本発明に係る水着においては、（１）ユーザが水着本体を着用したときに水泳選手の体の一部を覆うように構成された少なくとも1つの孔を有する水着本体と、
少なくとも1つの孔の周りに固定された弾性シールと
の組合せを含む、水着であることを特徴とする。
【００１０】
また、本発明に係る水着においては、（２）シールが接着剤によって水着本体に固定される、上記(1)記載の水着であることを特徴とする。
【００１１】
また、本発明に係る水着においては、（３）シールが縫付けによって水着本体に固定される、上記(1)記載の水着であることを特徴とする。
【００１２】
また、本発明に係る水着においては、（４）シールが溶接によって水着本体に固定される、上記(1)記載の水着であることを特徴とする。
【００１３】
また、本発明に係る水着においては、（５）孔がユーザの腰を覆うように構成される、上記(1)記載の水着であることを特徴とする。
【００１４】
また、本発明に係る水着においては、（６）孔がユーザの胴体の上部を覆うように構成される、上記(1)記載の水着であることを特徴とする。
【００１５】
また、本発明に係る水着においては、（７）孔がユーザの腕を覆うように構成される、上記(1)記載の水着であることを特徴とする。
【００１６】
また、本発明に係る水着においては、（８）孔がユーザの首を覆うように構成される、上記(1)記載の水着であることを特徴とする。
【００１７】
また、本発明に係る水着においては、（９）シールがエラストマーで形成される、上記(1)記載の水着であることを特徴とする。
【００１８】
また、本発明に係る水着においては、（１０）シールが、シリコーン、ゴム、ラテックス、およびウレタンのうちの1つで形成される、上記(1)記載の水着であることを特徴とする。
【００１９】
また、本発明に係る水着においては、（１１）水着本体が全身ボディスーツである、上記(1)記載の水着であることを特徴とする。
【００２０】
また、本発明に係る水着においては、（１２）水着本体が、ユーザの腰からユーザのくるぶしの近くの点まで延びるように構成されたタイツである、上記(1)記載の水着であることを特徴とする。
【００２１】
また、本発明に係る水着においては、（１３）水着が一対のショーツである、上記(1)記載の水着であることを特徴とする。
【００２２】
また、本発明に係る水着においては、（１４）水着本体の前部の上縁部の所のシールに連結され、水着本体の背中の上縁部の所のシールに連結され、かつユーザの肩の上を延びるように構成されたハーネス・アセンブリをさらに含む、上記(1)記載の水着であることを特徴とする。
【００２３】
また、本発明に係る水着においては、（１５）ハーネス・アセンブリがシールを含む単体構成である、上記(14)記載の水着であることを特徴とする。
【００２４】
また、本発明に係る水着においては、（１６）ハーネス・アセンブリが、各肩ストラップが第1の端部の所で水着本体の前部の上縁部の所のシールに固定され、第2の端部の所で背中ストラップの第1の端部に固定された一対の肩ストラップと、反対側の第2の端部が水着本体の背中の上縁部の所のシールに固定された背中ストラップとを含む、上記(14)記載の水着であることを特徴とする。
【００２５】
また、本発明に係る水着においては、（１７）ハーネス・アセンブリが、各肩ストラップが第1の端部の所で水着本体の前部の上縁部の所のシールに固定され、第2の端部の所で背中ストラップの第1の端部に固定された一対の肩ストラップと、反対側の第2の端部が各横ストラップの第1の端部に固定された背中ストラップと、反対側の第2の端部が水着本体の背中の反対側の所のシールに固定された一対の横ストラップとを含む、上記(14)記載の水着であることを特徴とする。
【００２６】
また、本発明に係る水着においては、（１８）水着本体の背中の所のシールの上縁部および横ストラップが孔を形成する、上記(17)記載の水着であることを特徴とする。
【００２７】
また、本発明に係る水着においては、（１９）シールの外側部の少なくとも一部がシールの周縁部まで先細りしている、上記(1)記載の水着であることを特徴とする。
【００２８】
また、本発明に係る水着においては、（２０）シールの内面が、水着本体の一部を受けるように構成されたくぼみを含む、上記(1)記載の水着であることを特徴とする。
【００２９】
また、本発明に係る水着においては、（２１）ユーザが水着本体を着用したときに水泳選手の体の一部を覆うように構成され、かつユーザが泳いでいるときに水着の前縁部となるように構成された少なくとも1つの孔を有する水着本体と、
少なくとも1つの孔の周りに固定された弾性シールと
の組合せを含む、水着であることを特徴とする。
【００３０】
また、本発明に係る水着においては、（２２）シールが接着剤によって水着本体に固定される、上記(21)記載の水着であることを特徴とする。
【００３１】
また、本発明に係る水着においては、（２３）シールが縫付けによって水着本体に固定される、上記(21)記載の水着であることを特徴とする。
【００３２】
また、本発明に係る水着においては、（２４）孔がユーザの腰を覆うように構成される、上記(21)記載の水着であることを特徴とする。
【００３３】
また、本発明に係る水着においては、（２５）孔がユーザの胴体の上部を覆うように構成される、上記(21)記載の水着であることを特徴とする。
【００３４】
また、本発明に係る水着においては、（２６）孔がユーザの腕を覆うように構成される、上記(21)記載の水着であることを特徴とする。
【００３５】
また、本発明に係る水着においては、（２７）孔がユーザの首を覆うように構成される、上記(21)記載の水着であることを特徴とする。
【００３６】
また、本発明に係る水着においては、（２８）シールが、シリコーン、ゴム、およびラテックスのうちの1つで形成される、上記(21)記載の水着であることを特徴とする。
【００３７】
また、本発明に係る水着においては、（２９）水着本体が全身ボディスーツである、上記(21)記載の水着であることを特徴とする。
【００３８】
また、本発明に係る水着においては、（３０）水着本体が、ユーザの腰からユーザのくるぶしの近くの点まで延びるように構成されたタイツである、上記(21)記載の水着であることを特徴とする。
【００３９】
また、本発明に係る水着においては、（３１）水着が一対のショーツである、上記(21)記載の水着であることを特徴とする。
【００４０】
また、本発明に係る水着においては、（３２）水着本体の前部の上縁部の所のシールに連結され、水着本体の背中の上縁部の所のシールに連結され、かつユーザの肩の上を延びるように構成されたハーネス・アセンブリをさらに含む、上記(21)記載の水着であることを特徴とする。
【００４１】
また、本発明に係る水着においては、（３３）ハーネス・アセンブリがシールを含む単体構成である、上記(32)記載の水着であることを特徴とする。
【００４２】
また、本発明に係る水着においては、（３４）ハーネス・アセンブリが、各肩ストラップが第1の端部の所で水着本体の前部の上縁部の所のシールに固定され、第2の端部の所で背中ストラップの第1の端部に固定された一対の肩ストラップと、反対側の第2の端部が水着本体の背中の上縁部の所のシールに固定された背中ストラップとを含む、上記(32)記載の水着であることを特徴とする。
【００４３】
また、本発明に係る水着においては、（３５）ハーネス・アセンブリが、各肩ストラップが第1の端部の所で水着本体の前部の上縁部の所のシールに固定され、第2の端部の所で背中ストラップの第1の端部に固定された一対の肩ストラップと、反対側の第2の端部が各横ストラップの第1の端部に固定された背中ストラップと、反対側の第2の端部が水着本体の背中の反対側の所のシールに固定された一対の横ストラップとを含む、上記(32)記載の水着であることを特徴とする。
【００４４】
また、本発明に係る水着においては、（３６）水着本体の背中の所のシールの上縁部および横ストラップが孔を形成する、上記(35)記載の水着であることを特徴とする。
【発明の効果】
【００４５】
水着の孔の周りに弾性シールを有する水着を提供することによって実質的な利点が得られる。特に、弾性シールを有する水着は、ユーザの体にぴったりとかつ弾性的にフィットする。これは、この位置における水着の縁部が水を吸い込む機会が少なくなり、成績が上がるため極めて有利である。さらに、このような弾性シールは、ジッパーなどの密閉装置を使用せずに水着をユーザにぴったりとフィットさせることを可能にする。
【００４６】
本明細書に開示された発明のこれらおよび他の特徴および利点は、ある好ましい態様についての以下の詳細な開示からさらに理解されると考えられる。
【００４７】
引用される図面は、必ずしも一定の比例に縮小して描かれてはおらず、関連する原則を例示する本発明を図式化したものを構成すると理解すべきである。図面に示されている弾性シールを有する水着のいくつかの要素は、説明および理解を容易にするために他の要素に対して拡大するかまたは歪められている。各図面では、様々な態様に示されている同様または同一の構成要素および要素に同じ参照番号が使用されている。本明細書に開示された弾性シールを有する水着は、使用される意図した用途および環境によってその一部が決定される構成および構成要素を有する。
【発明を実施するための最良の形態】
【００４８】
本発明は様々な形態で実施することができる。水着10などの水着の好ましい態様が図1A〜1Cに示されている。水着10は、ここでは、上半身からユーザの脚に沿ってユーザのくるぶしまで延びる、全身ボディスーツと呼ばれることも多い男性用全身水着として示されている。以下に詳しく説明するように、水着10のサイズおよび形状が様々であってよいことを理解されたい。本発明に係る水着が男性用と女性用の両方に適しており、水着がユーザの体に適切に一致するように構成されることも理解されたい。
【００４９】
図1A〜1Cに示されているように、水着10は、胴体部12と脚部14とを有している。胴体部12の上縁部16は、ユーザの上半身（図示せず）を受け入れる孔18を形成している。図示された態様では、胴体部12の前部22の上部中央部20は、胴体部12の残りの部分に対して細長くなっており、すなわち、上部中央部20は、ユーザの胴体上をより高い位置まで延びている。細長い中央部20は、胴体部12がユーザの胸部を覆うのを可能にし、一方、胴体部12の側部に沿った上縁部16がユーザの腕の下を通過できるようにする働きをする。
【００５０】
水着10は、LYCRA（登録商標）（スパンデックスの一種）とポリエステルの混合物、LYCRA（登録商標）とナイロンの混合物、または他の任意の適切な材料で形成することができる。好ましい材料には、水着を、ユーザの体の上で伸ばしてユーザの体にぴったりとフィットさせることができるように伸縮可能な材料が含まれる。本開示の恩典が与えられると仮定すると、当業者には、水着10用の他の適切な材料が明らかになろう。
【００５１】
孔18の周りに弾性シール24が固定されている。シール24は、ユーザの胴体に対する確実な流体力学的シールを形成し、水着10を孔18の周りにぴったりと保持する。弾性材料のシール24を設けることによって、水着10をユーザの体に固定するうえで追加的な密封機構は必要とされない。水泳選手は、シール24を延ばし、孔18を通して水着10の中に入り、水着10を体の周りに引き上げるだけである。シール24は、ユーザの体が孔18を通るのを可能にするのに十分な幅に延び、次いで元のサイズに戻るのに十分な弾性を有する。故障、水着の柔軟性の低下、水に対する抵抗の増大のような密閉装置に関連する問題は、弾性シール24を用いることによって回避することができる。弾性シール24を有する水着10全体にわたって与えられる高い柔軟性は、水泳選手が競技を開始する構えをとり、体を丸くして水に飛び込む構えをとるときに特に有利である。さらに、弾性シール24の小さな形状は、縁縫いされ縫い付けられた前縁部と比べて水着10の流体力学的な効果を向上させることができる。
【００５２】
この態様では、シール24はシリコーンで作られている。シリコーンは、水中で寸法が安定するため、シール24は、濡れたときでも伸びず、それによってユーザの体の上にぴったりとしたシールが確保される。さらに、シリコーン材料の滑らかな表面がユーザの皮膚に対する表面摩擦を増大させ、ユーザの皮膚に対するシール24の粘着力を高める。シール24は、ゴム、ラテックスもしくはウレタンなどのエラストマー、またはユーザの体の一部を覆うのに適しており、かつ水着10に固定することのできる任意の他の弾性材料で形成することもできる。
【００５３】
水着10は、水着10をユーザの体に維持するのを助ける肩ストラップ・アセンブリ25などのハーネス・アセンブリを有してよい。好ましい態様では、肩ストラップ・アセンブリ25は、一対の肩ストラップ26および背中ストラップ30で形成される。肩ストラップ26は、上部中央部20の上縁部16からユーザの肩の上を通ってユーザの背中の上部の所の背中ストラップ30の第1の端部31まで延びている。背中ストラップ30の第2の端部33は、水着10の背中28の上縁部16の所でシール24に連結されている。肩ストラップ26が、背中ストラップ30に連結されるのではなく、それぞれ、直接背中28の上縁部16まで延びることができることを理解されたい。好ましい態様では、肩ストラップ・アセンブリ25とシール24は単体であり、すなわちワンピース構成である。
【００５４】
シール24を水着10に固定する1つの方法が図2に示されている。この態様では、シール24は、シール24と水着10との間に配置された接着剤32の層を介して水着10の孔18の周りに固定される。適切な接着剤には、エポキシおよびシリコーン接着剤が含まれる。この開示の恩典が与えられると仮定すると、当業者には、他の適切な接着剤が明らかになろう。他の好ましい態様では、シール24は、熱融解、無線周波数溶接、または超音波溶接によって固定することができる。
【００５５】
シール24を水着10に固定する他の方法が図3に示されている。この態様では、シール24は縫付け34によって水着10の胴体12に固定されている。平縫い、カバー縫い、またはかがり縁仕上げを含む他の方法で、シール24を水着10に固定できることを理解されたい。この開示の恩典が与えられると仮定すると、当業者には、シール24を水着10に固定する他の適切な方法が明らかになろう。
【００５６】
上記に指摘したように、図1A〜1Cは、脚部がユーザの脚に沿ってユーザのくるぶしに近い点まで延びる全身ボディスーツとして水着10を示している。図4A〜4Cは、水着10が、脚部14がユーザの腿の、膝のすぐ上まで延びる、膝丈ボディスーツである他の態様を示している。
【００５７】
一般にタイツまたはレギンスと呼ばれる一対のパンツの形状を有する種類の水着を示す図5に、水着40の他の態様が示されている。水着40は、弾性シール44が固定されるユーザの腰を覆うように構成された孔42を有している。水着40は、ユーザのくるぶしの上まで延びる長い脚部46を有している。図6に同様の態様が示されており、この場合、脚部46がユーザの膝のすぐ上まで延びている。このような態様は、一般にスイムショーツまたはジャマーと呼ばれている。
【００５８】
他の態様が図7に示されており、この場合、水着50は、脚部を有しておらず、一般にブリーフと呼ばれる。水着50は、弾性シール54が固定されるユーザの腰を覆うように構成された孔52を有している。水着は、ユーザが脚が通る脚部孔56を有している。
【００５９】
図5〜7に示されている各水着40および50では、ユーザは、水着の中に入り、足を水着の脚部または脚部孔に入れ、水着の上縁部およびシールがユーザの腰の周りに位置するまで水着を引き上げるだけである。弾性シール44、54は、ユーザの腰の周りのウエストコードや他の種類のファスナを不要にする。これによって水着の密着度が改善されると共に抗力が低減し、それによって成績が向上する。
【００６０】
他の態様が図8A〜8Cに示されている。ここの示されている水着10の態様は、図1A〜1Cに示されている男性用全身ボディスーツに多くの点で類似している全身女性用ボディスーツである。この態様では、背中ストラップ30の第2の端部33が一対の横ストラップ58のそれぞれの第1の端部57に連結されている。各横ストラップ58の反対側の第2の端部59は、水着10の背中28の側部でシール24に固定されている。シール24と横ストラップ58は、ユーザの背中の大部分を露出させる孔60を形成している。この態様は、オープン・バック水着と呼ばれることが多く、多くの女性水泳選手に好まれている。好ましい態様では、シール24、肩ストラップ26、背中ストラップ30、および横ストラップ58は単体構成で形成されている。
【００６１】
他の態様が図9A〜9Cに示されている。この態様は、図8A〜8Cに示されている態様に類似しているが、この態様では、水着10は、脚部を有さず、ユーザの脚が突き出る孔62を有しているに過ぎない。したがって、本発明に係る水着の脚部は任意の所望の長さであってよく、ある態様では脚部をまったく有さなくてよいことが分かる。
【００６２】
他の態様が図10に示されており、水着10の胴体部12の上縁部の所の孔64がユーザの首を覆うように構成されている。上述のように孔64の周りにシール66が固定されている。さらに、この態様では、水着10は、ユーザの手首に近い端部に孔70を有する腕部68を含んでいる。上述のように、各孔70にシール72が固定されている。したがって、本発明に係るシールは、ユーザが泳いでいるときに前縁部を形成する多くの位置で水着の孔の周りに固定できることが分かる。
【００６３】
シール74の他の好ましい態様が図11に示されており、この場合、シール74の最外縁部または前縁部76が先細りになっており、水泳選手が水中を移動するときの抵抗を低減させる。さらに、ここに示されているように、シール74の内面78は、水着10の本体の材料の最外縁部を受けるくぼみ80を含んでよい。
【００６４】
当業者には、本発明の上記の開示および好ましい態様の説明を考慮することによって、本発明の範囲および要旨から逸脱せずに様々な修正および調節を施すことができることが容易に理解されると考えられる。すべてのそのような修正および調節は特許請求の範囲内である。
【図面の簡単な説明】
【００６５】
【図１】本発明に係るシールを有する水着の好ましい態様の正面図（A）、側面図（B）、および背面図（C）である。
【図２】図1A〜1Cの水着とシールとの連結部の好ましい態様を示す、図1Aの線2-2に沿った断面図である。
【図３】図1A〜1Cの水着とシールとの連結部の他の態様の断面図である。
【図４】図1A〜1Cの水着の他の態様の正面図（A）、側面図（B）、および背面図（C）である。
【図５】本発明に係る水着の他の態様の正面図である。
【図６】本発明に係る水着の他の態様の正面図である。
【図７】本発明に係る水着の他の態様の正面図である。
【図８】図1A〜1Cの水着の他の態様の正面図（A）、側面図（B）、および背面図（C）である。
【図９】図1A〜1Cの水着の他の態様の正面図（A）、側面図（B）、および背面図（C）である。
【図１０】図1A〜1Cの水着の他の態様の正面図である。
【図１１】図1A〜1Cの水着のシールの他の態様の部分切欠き断面図である。
【符号の説明】
【００６６】
１０、４０、５０  水着；１２  胴体部；１４、４６  脚部；１６  上縁部；１８、４２、５２、６０、６２、６４、７０  孔；２０  上部中央部；２２  前部；２４、４４、５４、６６、７２、７４  シール；２５  肩ストラップ・アセンブリ；２６  肩ストラップ；２８  背中；３０  背中ストラップ；３１、５７  第１の端部；３２  接着剤；３３、５９  第２の端部；３４  縫付け；５６  脚部孔；５８  横ストラップ；６８  腕部；７６  前縁部；７８  内面；８０  くぼみ。
【図１】
0005413936.tif 000002
【図２】
0005413936.tif 000003
【図３】
0005413936.tif 000004
【図４】
0005413936.tif 000005
【図５】
0005413936.tif 000006
【図６】
0005413936.tif 000007
【図７】
0005413936.tif 000008
【図８】
0005413936.tif 000009
【図９】
0005413936.tif 000010
【図１０】
0005413936.tif 000011
【図１１】
0005413936.tif 000012